(57)【要約】無線装置(32,34,54,56,58,60,62,64)と通信し構成するための無線構成ツール(10,30,50)。例示的なツール(10,30,50)は、ソフトウェア無線(SDR)を使用して、互換性がない可能性がある複数の無線システム(32,34,54,56,58,60,62,64)と複数のフォーマット、モード又は周波数で通信する。ある実施形態では、ツール(10,30,50)は、無線システム(32,34,54,56,58,60,62,64)の構成の前にどのタイプ及び幾つの無線システム(32,34,54,56,58,60,62,64)が構成されるべきかを決定する。次いで、ツール(10,30,50)は、システム内並びにシステム間の干渉を低減するために各システム(32,34,54,56,58,60,62,64)がどのように構成されるかを調整することができる。また、このような機能を実施するための方法も含まれる。【選択図】図１
2008547272.tif 000002
【特許請求の範囲】
【請求項１】
少なくとも第１の通信プロトコルを使用して無線通信に適合されたソフトウェア無線（ＳＤＲ）機構と、
前記第１の通信プロトコルを実行する機能を有する前記ＳＤＲ機構用のコントローラと、
前記コントローラによってアクセス可能であり、前記第１の通信プロトコルを使用する無線システムの構成用の１つ又はそれ以上の命令セットを含むコントローラ読取り可能媒体と、
を備える無線通信システムを構成するためのツール。
【請求項２】
前記ＳＤＲ機構が更に、第２の通信プロトコルを使用して無線通信に適合され、
前記コントローラが、前記第２の通信プロトコルを実行する機能を有し、
前記コントローラ読取り可能媒体が更に、前記第２の通信プロトコルを使用する無線システムの構成用の１つ又はそれ以上の命令セットを含む、
ことを特徴とする請求項１に記載のツール。
【請求項３】
前記第１の無線システムが、前記第２の無線システムと通信上互換性がない可能性がある、
ことを特徴とする請求項２に記載のツール。
【請求項４】
前記コントローラ読取り可能媒体が、前記コントローラからのコマンドに応答して書込み及び書換えを行うことができる、
ことを特徴とする請求項１に記載のツール。
【請求項５】
第１の無線システムが構成されたときに、前記コントローラは、前記第１の無線システムの構成に関連したデータを前記コントローラ読取り可能媒体に記録する、
ことを特徴とする請求項４に記載のツール。
【請求項６】
前記コントローラが、
前記ＳＤＲ機構を使用して設備内でどの無線システムが構成されるべきかを決定する段階と、
構成されることになる前記無線システムを考慮して対応する無線システムの構成用の命令セットを調整する段階と、
１つ又はそれ以上の命令セットの少なくとも１つを実行して前記設備内の少なくとも１つの無線システムを構成する段階と、
を含む構成シーケンスを実施するように適合される、
ことを特徴とする請求項１に記載のツール。
【請求項７】
前記コントローラが、無線システムの構成用の１つ又はそれ以上の命令セットのうちの少なくとも１つの少なくとも一部を使用することによって、無線通信システムの再構成を実施するように適合されている、
ことを特徴とする請求項１に記載のツール。
【請求項８】
前記コントローラが、新規通信プロトコルに関連する情報を受信して、前記新規通信プロトコル用の命令を前記コントローラ読取り可能媒体に書込むように適合されてる、
ことを特徴とする請求項１に記載のツール。
【請求項９】
無線通信システムを構成するためのツールであって、
少なくとも第１及び第２の通信プロトコルを使用して無線通信に適合されたソフトウェア無線（ＳＤＲ）機構と、
前記第１の通信プロトコルを使用して第１の無線システム構成し、前記第２の通信プロトコルを使用して第２の無線システム構成することができる前記ＳＤＲ機構用コントローラと、
を備えるツール。
【請求項１０】
前記第１の無線システムが、前記第２の無線システムと通信上互換性がない可能性がある、
ことを特徴とする請求項９に記載のツール。
【請求項１１】
前記制御システムが更に、前記第１及び第２の無線システムの構成に関連したデータを記憶するように適合されている、
ことを特徴とする請求項９に記載のツール。
【請求項１２】
前記第１の無線システムが構成されたときに、前記制御システムが前記第２の命令セットを変更するように適合される、
ことを特徴とする請求項９に記載のツール。
【請求項１３】
前記制御システムが、
前記ＳＤＲ機構を使用して設備内でどの無線システムが構成されるべきかを決定する段階と、
構成されることになる前記無線システムを考慮して、無線システムの構成に使用するための第１の命令セットを調整する段階と、
前記第１の命令セット又は前記第２の命令セットの少なくとも１つを実行して、前記設備内の少なくとも１つの無線装置システムを構成する段階と、
を含む構成シーケンスを実施するように適合される、
ことを特徴とする請求項９に記載のツール。
【請求項１４】
無線通信システムを構成する方法であって、
少なくとも第１の通信プロトコルを使用して無線通信に適合されたソフトウェア無線（ＳＤＲ）機構と、前記第１の通信プロトコルを実行するための機能を有する前記ＳＤＲ機構用のコントローラと、前記コントローラによってアクセス可能であり且つ前記第１の通信プロトコルを使用して無線システムを構成するための１つ又はそれ以上の命令セットを含むコントローラ読取り可能媒体を含む装置を提供する段階と、
前記ＳＤＲ機構を使用して、第１の無線通信システムの一部である第１の無線装置と前記第１の通信プロトコルを使用して通信する段階と、
前記ＳＤＲ機構を介して前記第１の通信プロトコルを使用して無線システムの構成用の命令セットを実行することによって前記第１の無線装置を構成する段階と、
を含む方法。
【請求項１５】
前記ＳＤＲ機構が更に第２の通信プロトコルを使用して無線通信に適合され、前記ＳＤＲ機構用コントローラが前記第２の通信プロトコルを実行するための機能を有し、前記コントローラ読取り可能媒体が、前記第２の通信プロトコルを使用して無線システムの構成のための１つ又はそれ以上の命令セット含み、前記方法が更に、
前記ＳＤＲ機構を使用して、第２の無線通信システムの一部である第２の無線装置と前記第２の通信プロトコルを使用して通信する段階と、
前記ＳＤＲ機構を介して前記第２の通信プロトコルを使用して無線システムの構成用命令セットを実行することによって前記第２の無線装置を構成する段階と、
を含む請求項１４に記載の方法。
【請求項１６】
前記ＳＤＲ機構を使用して前記第１の無線通信システムを発見する段階と、
どの追加の無線通信システムが前記第１の無線通信システムに通信近接状態で配置されているかを決定する段階と、
を更に含む、
ことを特徴とする請求項１４に記載の方法。
【請求項１７】
どの追加の無線通信システムが通信近接状態で配置されているかを決定する段階が、どのタイプの無線通信システム及び／又は幾つの無線通信システムが通信近接状態で配置されているかを決定する段階を含む、
ことを特徴とする請求項１６に記載の方法。
【請求項１８】
どの追加の無線通信システムが前記第１の無線通信システムに通信近接状態で配置されているかを考慮して、前記第１の無線装置の構成において実行される命令セットの変数を選択する段階を更に含む、
ことを特徴とする請求項１６に記載の方法。
【請求項１９】
前記第１の無線装置の構成に関連したデータを記録する段階を更に含む、
請求項１４に記載の方法。
【請求項２０】
新規の通信プロトコルを前記コントローラ読取り可能媒体にロードする段階と、
前記新規の通信プロトコルを使用して前記ＳＤＲ機構を介して無線装置と通信することによって動作させるように前記無線装置を構成する段階と、
を更に含む、
ことを特徴とする請求項１４に記載の方法。
【発明の詳細な説明】
【背景技術】
【０００１】
近年、無線技術の様々なアプリケーションが開発されている。これらのアプリケーションは、様々なデータフォーマット、周波数、ビットレート、その他を使用する。エンドユーザは、幾つかのアプリケーションに対応するために複数の高周波（ＲＦ）システムを導入する場合がある。例えば、ある設備では、無線セキュリティ装置ネットワークを監視するための第１のＲＦシステムと、無線資産追跡システムを監視するための第２のＲＦシステムと、設備内の環境システムを監視するための第３のＲＦシステムとを使用する場合がある。各システムは、異なる製造業者からもたらされ、異なる周波数帯域を使用し、及び／又は異なるフォーマット又は異なる速度でデータを送信する可能性がある。こうした異種システムの導入、維持、問題解決、及び最適化は、ロジスティック上の課題となる可能性がある。
【０００２】
【特許文献１】米国特許出願番号１０／９０５，９７１号公報
【発明の開示】
【０００３】
例示的な実施形態において、本発明は、無線装置システムと通信しこれを構成するための無線構成ツールを含む。例示的なツールは、ソフトウェア無線（ＳＤＲ）機構を利用して、互換性がないはずの無線装置システムと複数のフォーマット、モード及び／又は周波数で通信する。ある実施形態では、このツールは、１つ又はそれ以上のシステムの構成の前に、どのタイプ及び／又は幾つの無線システムが構成されるべきかを決定する。このツールは、例えば、干渉を低減し又は効率を改善するために、各システムがどのように構成されるかを調整するように適合させることができる。これらの機能を実施する方法も含まれる。
【発明を実施するための最良の形態】
【０００４】
以下の詳細な説明は図面を参照しながら読む必要がある。これらの図面は、必ずしも縮尺通りではなく、例示的な実施形態を示しており、本発明の範囲を制限するものではない。
【０００５】
図１は、本発明の例示的な実施形態のブロック図である。無線通信システムを構成するための例示的なツール１０が示されており、コントローラ１２、メモリ１４、及びソフトウェア無線（ＳＤＲ）構成部品１６を含む。ユーザインタフェース１８も示されている。
【０００６】
コントローラ１２は、例えば、様々な論理回路、プロセッサ、及び同様のものを含むあらゆる適切な形式をとることができる。ある実施形態では、コントローラ１２は、マイクロコントローラ、マイクロプロセッサ、デジタルシグナルプロセッサ、又は他の適切な構成要素であり、或いはこれらを含む。例えば、コントローラ１２は、ＳＤＲ１６を制御するための様々な機能を実施し、ＳＤＲ１６からデータを受信して応答し、メモリ１４にアクセスして書込みを行い、及び／又はユーザインタフェース１８からのリクエスト又は命令に応答することができる。
【０００７】
例示的なメモリ１４はまた、コントローラ１２がメモリ１４内のデータにアクセスすることができる幾つかの適切な形式をとることができる。メモリ１４の一部は読み出し専用とすることができるが、メモリ１４の少なくともある部分は書込み可能／書換え可能であるのが好ましく、但しこれは必須ではない。例えば、メモリ１４は、磁気、光学及び／又は電気的メモリ或いはこれらの組み合わせとすることができる。
【０００８】
ＳＤＲ１６はまた、あらゆる適切な形式をとることができ、コントローラ１２によって少なくとも部分的に制御されて、例えば、コントローラ１２が通信を定義するのを可能にすることができる。ＳＤＲ１６は、無線端末用の再構成可能なシステムアーキテクチャーを可能にするハードウェア及びソフトウェア技術の集合を含むことができる。ＳＤＲ１６は、マルチモード、マルチバンド及び／又は多機能無線装置とことができ、初期セットアップ後であってもソフトウェアの更新により機能強化することができる。場合によっては、ＳＤＲ１６は、コントローラ１２によって個別に制御される複数のＳＤＲモジュール、送受信機、その他を含むことができる。
【０００９】
ユーザインタフェース１８は、例えば、キーパッド、タッチパッド、グラフィカルディスプレイ、スピーカ、マイクロフォン及び／又は他の装置又は機能部品を含むことができ、これらは、ユーザによってアクセス及び制御を可能とのに使用することができる。ある実施形態では、ツール１０は、ＰＤＡ又はラップトップに類似することができるが、ツール１０のパッケージ及び形状の仕様は、ユーザの選好に委ねることができる。
【００１０】
図２は、例示的な実施形態の使用の概略図である。構成ツール３０は、ブロック形式で示されており、ノード３４を含む無線ネットワークの一部を形成する基地局３２と通信する。基地局３２を含むネットワークは、設備３６と関連して示される。設備３６は、例えば、住宅家屋又は家産、工業プラント、或いは何らかの他の建物もしくは建物の集合とすることができる。ノード３４は、何らかの適切な形状又はタイプをとることができ、例えば、屋内又は屋外など要求に応じて設置することができる。
【００１１】
例示的な実施形態では、ノード３４は、基地局３２との通信に適合される。ある実施形態では、ノード３４は、センサとすることができ、或いは、運動、火、煙、温度、湿度、占有、プロセス監視、又はその他のセンサのようなセンサに結合することができる。ノード３４はまた、カメラ、マイクロフォン、インタフォン、又は同様のものとすることができる。ある実施形態では、ノード３４はまた、例えば、基地局３２が無線ネットワーク構築又は他のコンピュータ使用のためのアクセスポイントの形態をとる場合にリピータとなることができる。基地局３２は、何らかの適切な形態をとることができ、ノード３４の少なくとも一部と通信するよう適合することができる。
【００１２】
構成ツール３０は、無線ネットワークの構成、再構成、導入及び／又は管理における少なくとも一定の機能を実施するのに使用される。本明細書の目的において、用語「構成する」又は「構成」は、無線ネットワークの構成、導入、動作試験及び管理の様々な段階を含むよう包括的に使用される。構成は、無線システムにおける装置のあらゆる態様又は構成ツール３０に近接して通信するシステムのあらゆる態様を構成し、導入し、動作試験し、或いは管理する完全なプロセスである必要はない。装置と無線ネットワーク内の他の装置との対話方法に影響を及ぼすように装置の動作上の態様が変更され、選択され、又は設定される場合は常に装置が構成される点に留意すれば十分である。
【００１３】
図示の例示的な実施形態では、構成ツール３０は、基地局３２と通信し、基地局３２の構成を実施する。この作業を実施するために、構成ツール３０は、ＳＤＲ及び命令セットを使用して、基地局３２によって使用される第１の通信プロトコルを実施する。命令セットは、構成ツール３０のメモリ内に記憶することができ、必要に応じて適宜更新することができる。例えば、基地局３２を構成するために構成ツール３０を適合させる目的で、命令セットを構成ツール３０上にロードすることができる。このような命令セットは、ＳＤＲ機構が第１の通信プロトコルを使用するための命令を含むことができる。同一又は別の命令セットは、基地局を構成するための装置専用命令を含むことができる。また、構成ツールを用いて、ノード３４を直接的に構成するか、或いは基地局３２を通じてノード３４を間接的に構成することができる。
【００１４】
ある実施形態では、構成ツール３０自体が、例えば、基地局３２及び／又は基地局のノード３４のネットワークの特性を観測することにより、設備３６の特性を観測することにより、及び／又は他の無線システムが設備３６内又はその近傍に存在するかどうか、どのようなタイプが存在するか、及び幾つ存在するかを求めることによって基地局３２を構成するための命令セットを選択及び／又は変更することができる。ある実施形態では、他の無線システムは、例えば特定のネットワークによって使用されるチャンネルを使用又は送信するものを含むネットワーク動作を妨げる可能性があり、或いはこの特定のネットワークによって使用されるチャンネル上にノイズを生成する場合がある。このようなシステムは、通信近接状態にあると説明することができる。
【００１５】
図３は、例示的な実施形態の使用についての他の概略図である。図３に示される例示的な実施形態は、設備５２内の様々な無線システムと通信することができるように配置された構成ツール５０を含む。このような第１のシステムは、５４で示される基地局Ｂ１と、例えば５６で示されるノードＮ１とを含む。第２のシステムは、５８で示される基地局Ｂ２と、例えば６０で示されるノードＮ２とを含む。第３のシステムは、６２で示される基地局Ｂ３と、例えば６４で示されるノードＮ３とを含む。図示されてはいないが、個々のシステムは、必要であれば複数のベースノード又はゲートウェイノードを含むことができる。
【００１６】
例示的な実施形態において、構成ツール５０は、ＳＤＲ機構を使用して、少なくとも第１のモード又はフォーマットで通信ビーコンを生成することができる。ある実施形態では、構成ツール５０は、幾つかのシステムの各々が設備５２内で交信することができるように複数のモデル又はフォーマットで通信ビーコンを生成する。構成ツール５０によってビーコンが送出されると、設備５２内にどのようなタイプ及び／又は幾つのシステムが存在するかを構成ツール５０が判断できるように、応答が確認される。各システムが交信して識別された後、通信プロトコルのセットが放出された後、及び／又は事前設定の発見時間期間（又は発見時間期間のセット）が切れた後、構成ツール５０は、検出されたシステム又はシステム装置の各々と交信して、設備５２内の通信を構成することができる。或いは、構成ツール５０は、システムが発見されたときに各システムを構成することができる。
【００１７】
ある実施形態では、構成ツール５０は、コントローラ、入力／出力装置、及びメモリを含み、使用前に通信プロトコルをダウンロードすることができる。例えば、ＲＦ、ＵＳＢ、光学、及び／又は外部ディスクドライブのポートが構成ツール５０上に提供され、通信プロトコルを構成ツールのメモリ内にロードことを可能にすることができる。この方法では、構成ツール５０は、幾つかの異なるプロトコルを使用して通信コマンドを実行するように構成することができ、更に、新規の又は異なるプロトコルが使われ始めるときに更新することができる。
【００１８】
ある実施形態では、構成ツール５０は、該構成ツールが構成する様々なシステムのある部分だけを構成するように適合することができる。例えば、構成ツール５０は、基地局５４，５８，６２のみを構成することができる。或いは、構成ツール５０は、ノード５６，６０，６４の１つ又はそれ以上のような検出された追加の装置を構成することができる。
【００１９】
第３のシステムは、例証の目的で、他の複数のノードに接続されたノードＮ３と冗長的に接続され、基地局６２への複数の冗長パスを定義して示されている。ある実施形態では、構成ツール５０を用いて、例えば、引用により本明細書に組み込まれる、「ＷＩＲＥＬＥＳＳ  ＲＯＵＴＩＮＧ  ＣＯＮＦＩＧＵＲＡＴＩＯＮ（無線ルーティング構成）」という名称の同時係属の米国特許出願番号＿＿＿＿＿（代理人ファイル番号１１００．１３３８１０１）に記載されたこうした冗長システムの少なくとも一部内の冗長パスを定義することができる。構成ツール５０はまた、既存のルーティング構成及び／又はシステム特性を解析して、その開示事項が引用により本明細書に組み込まれる「ＷＩＲＥＬＥＳＳ  ＲＯＵＴＩＮＧ  ＳＹＳＴＥＭＳ  ＡＮＤ  ＭＥＴＨＯＤＳ（無線ルーティングシステム及び方法）」という名称の同時係属の米国特許出願番号１０／９０５，９７１号に記載されるように、再構成が望ましいかどうかを判断することができる。
【００２０】
構成ツール５０は、例えば、セキュリティプロトコルの選択及び動作試験などの機能を実施することができる。更に、構成ツール５０は、例えばソフトウェア及びハードウェア更新を助けるためにネットワーク管理及びアクセス機能を提供することができる。ある実施形態では、使用中の様々なネットワークに対するグローバル規則又は規制は、構成ツール５０が選択、更新、動作試験、又は構成を行うことができる。
【００２１】
ある実施形態では、構成ツール５０は、構成用の新規の命令セットを受信するように適合される。新規通信命令は、リムーバブル媒体（コンパクトディスク、磁気ディスク又はフラッシュメモリカードなど）の使用によって、有線通信（ＵＳＢポート、モデム、光入力、又は他の何らかの適切な有線通信を介して）によって、無線通信を介して、或いは他の何らかの適切な方法／装置によって構成ツールにアップロードすることができる。新規命令は、ＲＡＭ、ＲＯＭ、フラッシュメモリ又は他の適切なメモリ構成部品などのコントローラ読取り可能媒体にロードすることができる。その結果、構成ツール５０は、１つ又はそれ以上の他の無線装置と通信し、新規通信命令を使用して１つ又はそれ以上の無線装置を構成することができる。
【００２２】
図４は、本発明の例示的な実施形態による例示的な方法を示すフローチャートである。本方法は、開始ブロック１００から１０２で、無線通信装置をスキャンすることにより開始する。ステップ１０２は、右側に示される固有の「下位方法」を含む。例えば、例示的な実施形態では、構成ツールは、N個の通信プロトコルの１つを使用して装置動作を観察するように適合させることができる。ステップ１０４で示すように、Ｎ個のプロトコルにおいて、下位方法は、ステップ１０６で示されるｉ番プロトコルを使用したポーリング段階、ステップ１０８で示されるポーリングに対する何らかの応答の確認段階、及びステップ１１０で示される応答する各システム／装置からのシステムデータの検索段階を含む。下位方法は、ステップ１１２に示されるようにＮ個のロードされたプロトコルの各々に対して先頭に戻る。ある実施形態では、ユーザは、構成ツール上で利用可能なプロトコルのセットの中でどのプロトコルを使用するかを選択することができる。
【００２３】
ステップ１０２で装置のスキャンが完了すると、本方法は、ステップ１１４に示すように、スキャンにより取り込まれたデータを解析して幾つの装置及び／又はどのタイプの装置を構成することができるかを判断する段階を含む。次いでステップ１１６に示すように、構成パラメータが選択されて調整される。これは、例えば、通信タイミングを調整して、限定された帯域内で複数のシステムが動作可能にする段階を含む。構成用のパラメータはまた、例えば、複数の使用可能なチャンネルの中で利用可能なネットワーク内の特定の通信に対していずれが指定されているかに関連したパラメータを含む。例えば、チャネルＣを使用することが可能な第１のネットワークは、チャネルＣが第２のネットワークによって使用するために予約することができるように、このチャネルを使用しないよう指示することができる。
【００２４】
ステップ１１６で、構成パラメータが選択及び／又は調整された後、本方法は、ステップ１１８に示すように各システムを構成する段階を含む。ステップ１１８は、右側に示すように固有の下位方法を含むことができる。ステップ１２０に示すように、各サブシステムに対して、構成ツールは幾つかのステップを実施することができる。例示的な方法において最初に、ステップ１２２に示すように適切な通信プロトコルが選択される。次いで、ステップ１２４に示すように構成命令が実行される。次に、本方法は、次のシステムのためにステップ１２０に戻る。選択された各システムが構成されると、ステップ１２８に示すように本方法は終了する。
【００２５】
他の例示的な実施形態では、本発明は、少なくとも第１の通信プロトコルを使用して無線通信に適合されたＳＤＲ機構と、第１の通信プロトコルを実行する機能を有するＳＤＲ機構用コントローラと、コントローラがアクセス可能であり、第１の通信プロトコルを使用する無線システムを構成するための１つ又はそれ以上の命令セットを含むコントローラ読取り可能媒体とを備えた無線通信システムを構成するためのツールを含む。更に、ＳＤＲ機構は、第２の通信プロトコルを使用して無線通信に適合させることができ、コントローラは、第２の通信プロトコルを実行する機能を有することができ、更にコントローラ読取り可能媒体は、第２の通信プロトコルを使用する無線システムを構成するための１つ又はそれ以上の命令セットを含むことができる。第１の無線システムは、第２の無線システムと通信上の互換性がなくてもよい。
【００２６】
ある実施形態では、コントローラ読取り可能媒体は書込み可能である。第１の無線システムが構成されると、コントローラは、第１の無線システムの構成に関連したデータを記録することができる。他の実施形態は、構成シーケンスを実施するようにコントローラが適合されたツールを含み、該構成シーケンスは、ＳＤＲ機構を使用して設備内でどの無線システムが構成されるべきかを決定する段階と、構成されることになる無線システムを考慮して対応する無線システムの構成用の命令セットを調整する段階と、１つ又はそれ以上の命令セットの少なくとも１つを実行して設備内の少なくとも１つの無線システムを構成する段階とを含む。コントローラは、無線システムの構成用に１つ又はそれ以上の命令セットの少なくとも１つの少なくとも一部を使用することによって、無線通信システムの再構成を実施するよう適合させることができる。
【００２７】
更に別の例示的な実施形態は、少なくとも第１及び第２の通信プロトコルを使用して無線通信に適合されたＳＤＲ機構と、第１の通信プロトコルを使用して第１の無線システムを構成し第２の通信プロトコルを使用して第２の無線システムを構成することができるＳＤＲ機構用コントローラとを備える無線通信システムを構成するためのツールを含む。第１の無線システムは、第２の無線システムと通信上互換性がなくてもよい。更に、コントローラは、第１及び第２の無線システムの構成に関連したデータを記憶するように適合させることができる。
【００２８】
コントローラは、第１の無線システムが構成されたときに第２の命令セットを変更するように適合させることができる。コントローラはまた、構成シーケンスを実施するように適合させることができ、該構成シーケンスは、ＳＤＲ機構を使用して設備内でどの無線システムが構成されるべきかを決定する段階と、構成されることになる無線システムを考慮して無線システムの構成に使用するための第１の命令セットを調整する段階と、第１の命令セット又は第２の命令セットの少なくとも１つを実行して設備内の少なくとも１つの無線装置システムを構成する段階とを含む。
【００２９】
本発明の別の実施形態は、少なくとも第１の通信プロトコルを使用して無線通信に適合されたＳＤＲ機構と、第１の通信プロトコルを実行するための機能を有するＳＤＲ機構用のコントローラと、コントローラがアクセス可能であり且つ第１の通信プロトコルを使用して無線システムの構成のための１つ又はそれ以上の命令セットを含むコントローラ読取り可能媒体とを含む装置を提供する段階と、ＳＤＲ機構を使用して、第１の無線通信システムの一部である第１の無線装置と第１の通信プロトコルを用いて通信する段階と、ＳＤＲ機構を介して第１の通信プロトコルを使用して無線システムの構成用の命令セットを実行することによって第１の無線装置を構成する段階とを含む、無線通信システムを構成する方法を含む。
【００３０】
ＳＤＲ機構は、第２の通信プロトコルを使用して無線通信に適合させることができ、ここでＳＤＲ機構用のコントローラは、第２の通信プロトコルを実行するための機能を有し、コントローラ読取り可能媒体は、第２の通信プロトコルを使用して無線システムの構成のための１つ又はそれ以上の命令セットを含む。次いで、本方法は更に、ＳＤＲ機構を使用して、第２の無線通信システムの一部である第２の無線装置と第２の通信プロトコルを使用して通信する段階と、ＳＤＲ機構を介して第２の通信プロトコルを使用して無線システムの構成のために命令セットを実行することにより第２の無線装置を構成する段階とを含むことができる。
【００３１】
ＳＤＲ機構を用いて、第１の無線通信システムを発見し、どの追加の無線通信システムが第１の無線通信システムに通信近接状態で配置されているかを決定することができる。どの追加の無線通信システムが通信近接状態で配置されているかを決定するステップは、どのタイプの無線通信システム及び／又は幾つの無線通信システムが通信近接状態で配置されているかを決定する段階を含む。例示的な方法は、どの追加の無線通信システムが第１の無線通信システムに通信近接状態で配置されているかを考慮して、第１の無線装置の構成において実行される命令セットの変数を選択するステップを含むことができる。
【００３２】
他の例示的な方法は、第１の無線装置の構成に関連したデータを記録するステップを含むことができる。ＳＤＲ機構は、第２の通信プロトコル、第２の通信プロトコルを実行するための機能を有するコントローラ、及び第２の通信プロトコルを使用して無線システムの構成用の１つ又はそれ以上の命令セットを含むコントローラ読取り可能媒体を使用して無線通信に適合させることができる。この実施例では、本方法は更に、ＳＤＲ機構を使用して、第２の無線通信システムの一部である第２の無線装置と第２の通信プロトコルを使用して通信する段階と、ＳＤＲ機構を介して第２の通信プロトコルを使用して無線システムの構成のための命令セットを実行することによって第２の無線装置を構成する段階とを含む。
【００３３】
本発明が、本明細書で説明され企図された特定の実施形態以外の様々な形態で呈示されることは当業者であれば理解されるであろう。従って、添付の請求項に記載された本発明の範囲及び精神から逸脱することなく形式及び詳細を発展させることができる。
【図面の簡単な説明】
【００３４】
【図１】本発明の例示的な実施形態のブロック図である。
【図２】例示的な実施形態の使用に関する概略図である。
【図３】例示的な実施形態の使用に関する別の概略図である。
【図４】例示的な方法の実施形態を示すフローチャートである。
【符号の説明】
【００３５】
１０  ツール
１２  コントローラ
１４  メモリ
１６  ＳＤＲ
１８  ユーザインタフェース
【図１】
2008547272.tif 000003
【図２】
2008547272.tif 000004
【図３】
2008547272.tif 000005
【図４】
2008547272.tif 000006
【手続補正書】
【提出日】平成20年2月19日(2008.2.19)
【手続補正１】
【補正対象書類名】特許請求の範囲
【補正対象項目名】全文
【補正方法】変更
【補正の内容】
【特許請求の範囲】
【請求項１】
少なくとも第１の通信プロトコルを使用して無線通信に適合されたソフトウェア無線（ＳＤＲ）機構（１６）と、
前記第１の通信プロトコルを実行する機能を有する前記ＳＤＲ（１６）用のコントローラ（１２）と、
前記コントローラ（１２）によってアクセス可能であり、前記第１の通信プロトコルを使用する無線システムの構成用の１つ又はそれ以上の命令セットを含むコントローラ読取り可能媒体（１４）と、
を備える無線通信システム（３２、３４、５４、５６、５８、６０、６２、６４）を構成するためのツール（１０、３０、５０）。
【請求項２】
前記ＳＤＲ機構（１６）が更に、第２の通信プロトコルを使用して無線通信に適合され、
前記コントローラ（１２）が、前記第２の通信プロトコルを実行する機能を有し、
前記コントローラ読取り可能媒体（１４）が更に、前記第２の通信プロトコルを使用する無線システムの構成用の１つ又はそれ以上の命令セットを含む、
ことを特徴とする請求項１に記載のツール。
【請求項３】
前記コントローラ（１２）が、
前記ＳＤＲ機構（１６）を使用して設備（３６，５２）内でどの無線システム（３２、３４、５４、５６、５８、６０、６２、６４）が構成されるべきかを決定する段階と、
構成されることになる無線システム（３２、３４、５４、５６、５８、６０、６２、６４）を考慮して無線システム（５４、５６）の構成用の命令セットを調整する段階と、
前記第１の命令セット又は前記第２の命令セットの内の少なくとも１つを実行して、前記設備（３６，５２）内の少なくとも１つの無線装置システム（３２、３４、５４、５６、５８、６０、６２、６４）を構成する段階と、
を含む構成シーケンスを実施するように適合されている、
ことを特徴とする請求項２に記載のツール（１０，３０、５０）。
【請求項４】
前記コントローラ（１２）が、
前記ＳＤＲ機構（１６）を使用して設備（３６，５２）内でどの無線システム（３２、３４、５４、５６、５８、６０、６２、６４）が構成されるべきかを決定する段階と、
構成されることになる前記無線システム（３２、３４、５４、５６、５８、６０、６２、６４）を考慮して無線システムの構成用の命令セットを調整する段階と、
前記１つ又はそれ以上の命令セットの少なくとも１つを実行して、前記設備（３６，５２）内の少なくとも１つの無線装置システム（３２、３４、５４、５６、５８、６０、６２、６４）を構成する段階と、
を含む構成シーケンスを実施するように適合されている、
ことを特徴とする請求項２又は３のいずれかに記載のツール（１０，３０、５０）。
【国際調査報告】
2008547272.tif 000007
2008547272.tif 000008